(57)【特許請求の範囲】
【請求項１】
外側面に複数の溝部を並列させる立ち上がり片と、
複数の上記立ち上がり片の内側面にて挟まれる板状部材であり、上記内側面同士にて挟まれる上記板状部材の縁にて、上記板状部材の表面から立ち上がるように延び出るとともに、途中で曲がり、上記表面の面内方向に沿いつつ上記板状部材から乖離するように延び出る表側延出片、および、上記板状部材の裏面から立ち上がるように延び出るとともに、途中で曲がり、上記裏面の面内方向に沿うように延び出ることで上記表側延出片に向かい合う裏側延出片、を備える置き板と、
を含み、
並列する溝部同士を仕切る溝壁が仕切り溝壁であり、
上記仕切り溝壁は、溝部に挟まれる部材よりも大きい欠損部分を含んでいる
棚。
【請求項２】
上記置き板の表面および裏面が、波打つ面形状である請求項１に記載の棚。
【請求項３】
最外に位置する溝部にて、上記仕切り溝壁に対向することで最外に位置し、溝部の内部を遮蔽する溝壁が遮蔽溝壁である請求項１または２に記載の棚。
【請求項４】
請求項１〜３のいずれか１項に記載の棚における溝部が、収納室にて対向する壁部の各々に含まれる支持部を挟むことで、上記支持部に支えられる冷却庫。
【発明の詳細な説明】
【技術分野】
【０００１】
本発明は、冷蔵庫、冷凍庫等の冷却庫であり、詳説すると、冷却庫に搭載される棚に関するものである。
【背景技術】
【０００２】
通常、冷蔵庫等の冷却庫には、収容室（冷蔵室等）の区分けする棚が搭載されている。そして、この棚は、収容室の壁面に形成される支持部に架け渡っている。したがって、収容室にて区分けされる空間のサイズを変える場合、棚を支える支持部の個数が増加する。
【０００３】
しかしながら、支持部の個数が増加してしまうと、収容室の美観が損なわれる。また、複数の支持部は収容室の壁面における高さ方向に位置すると、その高さ方向での支持部同士の間はデッドスペースになる。その上、収容物が突起部に接触することで、収容物の大きさも限定される。そこで、支持部の個数を減らしつつも、収容室にて区分けされる空間を多段階で変化させる棚が開発されている。その棚は、特許文献１にて開示されている。
【０００４】
この特許文献１にて開示されている棚ｐｔは、図２０に示すように、食品等を置く置き板１２１と、その置き板１２１を挟持するようにして立ち上がる立ち上がり片１２２とを含む。そして、この立ち上がり片１２２の外側面に形成される溝部１３１が、収容室の側壁に形成される支持部に嵌る。そのため、１つの支持部に対して、棚ｐｔが２段階に位置変化する。
【０００５】
ところで、置き板１２１の表面１２１ａに対してだけではなく、裏面１２１ｂに対しても食品等を置けるようにすれば、棚ｐｔの位置がさらに変化する（合計４段階に変化する）。事実、特許文献２では、このような置き板１２１の表面１２１ａおよび裏面１２１ｂを用いる考えが開示されている。
【特許文献１】特開平１１−１０８５５１号公報
【特許文献２】特開平３−７０９７３号公報
【発明の開示】
【発明が解決しようとする課題】
【０００６】
しかしながら、単純に置き板１２１の面を裏返すだけでは種々の問題が生じる。まず、置き板１２１の表面１２１ａの使用を前提としている棚ｐｔの場合、その表面１２１ａからかかる負荷に対して一定の強度を有するものの、裏面１２１ｂからかかる負荷に対して強度を有するとは限らない。そのため、安定して置き板１２１の裏面１２１ｂを使用する場合には、種々の工夫が必要になる。
【０００７】
また、立ち上がり片１２２には棚ｐｔの位置を変化させる溝部１３１が複数形成されている棚ｐｔの場合にあって、置き板１２１の表面１２１ａおよび裏面１２１ｂを使用するならば、ユーザが頻繁に棚ｐｔの位置を変える可能性がある。しかしながら、特許文献１に記載の棚ｐｔには、位置を容易に変えるための工夫はなにもない。
【０００８】
本発明は、上記の状況を鑑みてなされたものである。そして、本発明の目的は、様々な工夫を施すことで、使い勝手のよい棚を提供する。
【課題を解決するための手段】
【０００９】
棚は、食品等を置く置き板と、その置き板にて対向する縁から立ち上がる立ち上がり片とを含む。詳説すると、立ち上がり片は、外側面に複数の溝部を並列させる。そして、置き板は、複数の立ち上がり片の内側面にて挟まれる板状部材である。
【００１０】
特に、置き板は、表側延出片および裏側延出片を含む。表側延出片は、立ち上がり片の内側面同士にて挟まれる板状部材（すなわち置き板）の縁にて、板状部材の表面から立ち上がるように延び出るとともに、途中で曲がり、表面の面内方向に沿いつつ板状部材から乖離するように延び出る。一方、裏側延出片は、立ち上がり片の内側面同士にて挟まれる板状部材の縁にて、板状部材の裏面から立ち上がるように延び出るとともに、途中で曲がり、裏面の面内方向に沿うように延び出ることで表側延出片に向かい合う。
【００１１】
このような表側延出片および裏側延出片が置き板に形成されていると、その置き板における食品等を置く場所が確保されつつ、置き板の強度も向上する。そのため、置き板の表面および裏面にて、食品等が安定して位置する。
【００１２】
その上、立ち上がり片には、溝部が含まれる。そのため、例えば冷却庫における収容室の側壁に、溝部に嵌る部材（支持部）が形成されていれば、その支持部に対して置き板の位置を変えつつ棚が取り付けられる。つまり、この棚は、置き板の表面と裏面とを変えつつ使用でき、その置き板の位置までも変えられる。したがって、使い勝手のよい棚といえる。
【００１３】
なお、向かい合う表側延出片と裏側延出片とをつなげる連結片が含まれていると望ましい。このようになっていると、棚における置き板の強度が一層向上する。
【００１４】
また、表側延出片および裏側延出片の位置に対向する置き板の縁が、先太りしていても、棚における置き板の強度が向上するので望ましい。
【００１５】
また、置き板の表面および裏面が、波打つ面形状であると望ましい。このようになっていると、置き板の表面および裏面にて、収容物（食品等）が面接触しないので、それら両面ともに傷が付きにくくなる。その上、置き板の表面および裏面が波打つことによって、置き板の強度も向上する。また、波打つ置き板の面にはへこみが生じ、そのへこみは、例えば汁物が器からこぼれたとしても、その汁を溜め拡散させない。
【００１６】
また、置き板の表面にて波打つことで盛り上がる部分と、置き板の裏面にて波打つことで掘り下がる部分とが向かい合っており、置き板の表面にて波打つことで掘り下がる部分と、置き板の裏面にて波打つことで盛り上がる部分とが向かい合っていると望ましい。
【００１７】
このようになっていると、置き板は波打つものの、厚みがほぼ一定になる。そのため、置き板の厚み変動に起因する棚の美観低下が起きない。また、一定の厚みを有する棚を金型成形する場合、偏肉厚に起因した部品寸法の変動が少なくなり、高品質な棚が比較的速く、かつ容易に生産できる。
【００１８】
また、溝部の延び方向における一方側には、開放口が含まれており、溝部の延び方向における他方側には、溝部を塞ぐ制止片が含まれていると望ましい。
【００１９】
このようになっていると、溝部が、開放口を介して、例えば収容室における側壁の支持部に嵌りながら進入できる一方、制止片に接触することで過剰な移動が制限される。
【００２０】
また、並列する溝部にて、溝部同士を仕切る溝壁が仕切り溝壁であり、最外に位置する溝部にて、仕切り溝壁に対向することで最外に位置し、溝部の内部を遮蔽する溝壁が遮蔽溝壁であると望ましい。
【００２１】
このようになっていると、溝部が、例えば冷蔵室における側壁の支持部に嵌っている場合、遮蔽溝壁が支持部を外部から遮る。そのため、美観性が向上する。その上、遮蔽溝壁と収容室の側壁との間に隙間が生じにくくなり、棚によって区切られた収容室の各空間の気密性が向上する。そして、このような気密性の高い空間が複数あると、空間毎に異なった設定温度が可能になる。また、気密性が高いため、各空間における温度変動も小さくなる。
【００２２】
また、仕切り溝壁および遮蔽溝壁は、溝部に挟まれる部材に対して引っかかる係止端を含んでいると望ましい。このようになっていると、溝部を含む棚と、溝部に嵌る部材（例えば、収容室における側壁の支持部）との間でずれが生じにくい。
【００２３】
また、仕切り溝壁は、自身を境に位置する一方の溝部から他方の溝部に、溝部に挟まれる部材を移動させる欠損部分を含んでいると望ましい。このようになっていると、溝部と溝部に挟まれる部材とを完全に乖離させなくても、溝部間の移動が可能になる。そのため、棚の移動が容易になる。
【００２４】
なお、以上の棚における溝部が、収納室にて対向する壁部の各々に含まれる支持部を挟むことで、その支持部に支えられる冷却庫も本発明といえる。
【００２５】
そして、このような冷却庫では、棚における溝部の係止端は、溝部の内部に向かうように突き出る第１突起であり、その溝部に挟まれる部材である支持部は、突起を嵌める第２窪みを含んでいる。
【００２６】
また、第１突起は、複数存在し、溝部に面する仕切り溝壁の内壁面から突き出る第１突起と、溝部に面する遮蔽溝壁の内壁面から突き出る第１突起と、が有る。一方、第２窪みは、収納室の天面に対向する支持部の第１面にて窪んでいる。
【００２７】
このようになっていると、いずれの溝部が支持部の第１面を覆ったとしても、また、置き板の向きが変わったとしても、第１突起と第１面に含まれる第２窪みとが嵌る。
【００２８】
なお、支持部は、複数の支持片を含み、それら支持片を乖離させつつ並列させており、立ち上がり片の溝部が支持部に進入する場合に、溝部に最初に接触する支持片が第１支持片となるとともに、最後に溝部に接触する支持片が第２支持片となる。その上、仕切り溝壁に含まれる欠損部分は、自身を境に位置する一方の溝部から他方の溝部に、第１支持片を移動させる第１欠損部分、および、第２支持片を移動させる第２欠損部分である。
【発明の効果】
【００２９】
本発明の棚は、安定して置き板の表面と裏面とを変えつつ使用できる。また、その棚は置き板の位置までも容易に変えられる。したがって、使い勝手のよい棚といえる。
【発明を実施するための最良の形態】
【００３０】
［実施の形態１］
本発明の実施の一形態について、図面に基づいて説明すれば、以下の通りである。なお、便宜上、ハッチング、部材符号等を省略する場合もあるが、かかる場合、他の図面を参照するものとする。また、図面上での黒丸は紙面に対し垂直方向を意味する。
【００３１】
また、冷却庫は、食品等の物品の温度を下げる装置全般を指す概念である。そのため、冷蔵庫、冷凍庫、冷凍冷蔵庫、保冷庫、ショーケース、自動販売機等の装置は、冷却庫の一例となる。
【００３２】
図１９は、冷凍冷蔵庫８９の側面断面図を示す。詳説すると、図１９は冷凍冷蔵庫８９における冷蔵室（収容室）８１付近の断面を示す。図１および図２は、冷凍冷蔵庫８９の開閉扉８２（図１９参照）を省略し、冷蔵室８１の一部を拡大した斜視図および正面図である（なお、冷蔵室８１の正面とは開閉扉８２側であり、背面とは正面に対向する側とする）。
【００３３】
これらの図１および図２に示すように、冷蔵室８１内には、食品等を置ける棚ＰＴが取り付けられる。そして、棚ＰＴのみの斜視図は図３によって示され、棚ＰＴを除いた冷蔵室８１のみの斜視図は図４に示される。
【００３４】
図１〜図４に示すように、棚ＰＴは、冷蔵室８１にて対向する側壁（壁部）８３・８３毎に形成される支持部ＳＰ・ＳＰに架け渡る。つまり、棚ＰＴにおける一端と他端とが支持部ＳＰ・ＳＰに支えられることで、棚ＰＴは冷蔵室８１に取り付けられる。そこで、まず、支持部ＳＰについて、図４を用いて詳細に説明する（なお、１つの棚ＰＴを支える２つの支持部ＳＰ・ＳＰを支持部セットと称す場合がある）。
【００３５】
図４に示すように、支持部ＳＰは、冷蔵室８１の側壁８３から突き出る２個の支持片ＳＰ（第１支持片ＳＢ１・第２支持片ＳＢ２）を含む。そして、第１支持片ＳＢ１および第２支持片ＳＢ２は、冷蔵室８１の奥行き方向Ｄ１、すなわち、開閉扉８２（冷蔵室８１の開放面）から冷蔵室８１の背面（背面壁）に至る方向に沿うように並ぶ（奥行き方向Ｄ１と同方向に並ぶ）。
【００３６】
特に、これら第１支持片ＳＢ１と第２支持片ＳＢ２とは、互いには離れながら並ぶ。そのため、これら第１支持片ＳＢ１と第２支持片ＳＢ２との間には、間隔Ｘが生じる。
【００３７】
なお、両支持片ＳＢ１・ＳＢ２は、奥行き方向Ｄ１に延びているだけでなく、奥行き方向Ｄ１に対して交差する方向、例えば、冷蔵室８１の底面８１ｂから天面８１ａに至る方向である高さ方向Ｔ１において、厚みを有する（厚みＰａ）。
【００３８】
また、両支持片ＳＢ１・ＳＢ２は、冷蔵室８１の側壁８３から突出する方向、例えば、一方の側壁８３から他方の側壁８３に至る方向である幅方向Ｗ１においても厚み（幅Ｐｂ）を有する。そのため、両支持片ＳＢ１・ＳＢ２はブロック状といえる。
【００３９】
さらに、一方の側壁８３における第１支持片ＳＢ１および第２支持片ＳＢ２は、他方の側壁８３における第１支持片ＳＢ１および第２支持片ＳＢ２に対向する。詳説すると、第１支持片ＳＢ１・ＳＢ１同士は幅方向Ｗ１に沿って向かい合い、さらに、第２支持片ＳＢ２・ＳＢ２同士も幅方向Ｗ１に沿って向かい合う。
【００４０】
すると、対向する各側壁８３・８３での第１支持片ＳＢ１・ＳＢ１同士に架け渡るとともに、第２支持片ＳＢ２・ＳＢ２同士にも架け渡る部材は、安定して、支持部ＳＰに支えられることになる。そのような部材が棚ＰＴである。そこで、この棚ＰＴについて、図１〜図３、および図５〜図１０を用いて詳細に説明する。
【００４１】
図１〜図３に示すように、棚ＰＴは、置き板２１および立ち上がり片２２・２２を含む。そこで、まず、置き板２１について説明する。置き板２１は板状であり、食品等を直に支える部材であり、冷蔵室８１に収容されなくてはならない。特に、この置き板２１は、板状の表面２１ａおよび裏面２１ｂにて、食品等を支える（詳細については後述）。
【００４２】
そこで、図５は置き板２１の表面２１ａの平面を示し、図６は図５における置き板２１の裏面２１ｂを示す。また、図７、図８、および図９は、図５における置き板２１の正面、背面、側面を示す。また、図１０は図５における置き板２１のＡ−Ａ’線矢視断面図を示す。
【００４３】
なお、一方の立ち上がり片２２から他方の立ち上がり片２２に至る方向を棚ＰＴの幅方向Ｗ２とし、置き板２１の面内にて幅方向Ｗ２に交差する方向（例えば、直交する方向）を棚ＰＴの奥行き方向Ｄ２とする（置き板２１の正面から背面に至る方向）。また、この置き板２１が、自身の幅方向Ｗ２と冷蔵室８１の幅方向Ｗ１とを一致させて、冷蔵室８１の内部に収容される場合には、置き板２１はその冷蔵室８１における幅長・奥行き長よりも短い幅長・奥行き長を有する。
【００４４】
次に、立ち上がり片２２について説明する。立ち上がり片２２は、置き板２１の縁から立ち上がる部材である（立ち上がり片２２の内側面２２ｂにて置き板２１は挟持される）。詳説すると、立ち上がり片２２は、置き板２１における正面の縁と背面の縁とによって挟まれる２つの側面毎の縁から、立ち上がる部材である｛なお、立ち上がり方向Ｔ２は、置き板２１の表面２１ａおよび裏面２１ｂに対して交差する方向（例えば、垂直方向）である｝。
【００４５】
なお、各立ち上がり片２２・２２の厚み（幅方向Ｗ２の立ち上がり片２２の長さ）は、冷蔵室８１の幅長から置き板２１の幅長を差し引いた長さを２分した長さよりも若干短い（ただし、置き板２１の幅方向Ｗ２と冷蔵室８１の幅方向Ｗ１とが一致している場合に、置き板２１における側面の縁から冷蔵室８１の支持部ＳＰに到達する長さは有する）。このようになっていなければ、置き板２１の幅長と２つの立ち上がり片２２の厚みとを含む棚ＰＴの全幅長は、冷蔵室８１の幅長よりも長くなってしまうためである。
【００４６】
そして、このような立ち上がり片２２には、冷蔵室８１の側壁８３に形成される支持部ＳＰに接触する機構が備わっている。その機構は、支持部ＳＰを嵌める溝部３１（溝部３１Ｌ・溝部３１Ｈ）である。
【００４７】
溝部３１は、図９に示すように、一定の溝幅Ｑａを有しながら、立ち上がり片２２の外側面２２ａ（立ち上がり片２２にて置き板２１から離れる側に向く面。なお、外側面２２ａの裏面が内側面２２ｂとなる）から窪み、さらに、置き板２１の正面の縁から背面の縁に至る方向である奥行き方向Ｄ２に沿って延びる。なお、溝幅Ｑａは、第１支持片ＳＢ１および第２支持片ＳＢ２の厚みＰａよりも若干長く（Ｐａ＜Ｑａ）、溝部３１の奥行き長は、第１支持片ＳＢ１から第２支持片ＳＢ２までを結ぶ長さよりも長く、冷蔵室８１の奥行き長よりも短い。
【００４８】
そして、このような溝部３１は、立ち上がり片２２にて並列する。具体的には、溝部３１は、立ち上がり片２２の立ち上がり方向Ｔ２（棚部ＰＴの高さ方向Ｔ２）に沿って並列する。ただし、溝部３１の個数は複数であれば、特に限定されない。そこで、図９等は、一例として、２個の溝部３１（３１Ｌ・３１Ｈ）が並列する各立ち上がり片２２を示す（なお、溝部３１Ｌのほうが溝部３１Ｈに比べて置き板２１に近い）。
【００４９】
さらに、溝部３１は、置き板２１の背面側に近い端に（溝部３１の延び方向における一方側に）、開放口３２を含む（図３・図９等参照）。このようになっていると、開放口３２を介して、溝部３１が支持部ＳＰに入り込み、さらに奥行き方向Ｄ１に向かって進入できる（すなわち、ユーザが棚ＰＴの溝部３１を支持部ＳＰに差し込める）。
【００５０】
具体的には、まず、開放口３２を介して、溝部３１が第１支持片ＳＢ１に嵌り、そのまま、棚ＰＴが冷蔵室８１の奥行き方向Ｄ１に向かって進行する。さらに棚ＰＴが進行すると、開放口３２を介して、溝部３１が第２支持片ＳＢ２に到達して嵌る。つまり、第１支持片ＳＢ１が、最初に溝部３１に接触し、最後に第２支持片ＳＢ２が溝部３１に接触する（後述の図１６Ａおよび図１６Ｂ参照）。
【００５１】
ただし、過剰に棚ＰＴが冷蔵室８１の背面に進まぬように、開放口３２に対して対向する溝部３１の端、すなわち、置き板２１の正面側に近い溝部３１の端に（溝部３１の延び方向における他方側に）、溝部３１を塞ぐ制止片３３が含まれる。この制止片３３は、第1支持片ＳＢ１に接触することで、溝部３１自身の移動を制止する部材である。
【００５２】
その上、棚ＰＴは、立ち上がり片２２の立ち上がり方向Ｔ２に沿って、２個の溝部３１Ｌ・３１Ｈを含む（すなわち、溝部３１が２段配置である）。そのため、支持部ＳＰに嵌る溝部３１の位置に応じて、冷蔵室８１における棚ＰＴの位置が変わる。例えば、図１１に示すように置き板２１に近い側の溝部３１Ｌが支持部ＳＰに嵌る場合、および、図１２に示すように置き板２１から離れた側の溝部３１Ｈが支持部ＳＰに嵌る場合がある（なお、図１１・図１２、および後述の図１３・図１４は、図１での冷蔵室８１および棚ＰＴのＢ−Ｂ’線矢視断面方向からみている）。
【００５３】
これらの図１１および図１２からわかるように、棚ＰＴは、置き板２１の表面２１ａを冷蔵室８１の天面８１ａ側に向け、さらに、幅方向Ｗ１にて対向する１組の支持部ＳＰ・ＳＰ（１つの支持部セット）に対し、２段階で位置を変える。つまり、棚ＰＴは、１つの支持部セットに異なる溝部３１（３１Ｌ・３１Ｈ）を嵌めることで自身の位置を変える。
【００５４】
さらに、図１３および図１４に示すように、棚ＰＴは、置き板２１の裏面２１ｂを冷蔵室８１の天面８１ａ側に向け、幅方向Ｗ１にて対向する１組の支持部ＳＰ・ＳＰに対し、２段階で位置を変えられる。つまり、棚ＰＴは、図１１の場合と違って、置き板２１の裏面２１ｂを冷蔵室８１の天面８１ａに向けて、溝部３１Ｌを支持部ＳＰに嵌める（図１３参照）。また、棚ＰＴは、図１２の場合と違って、置き板２１の裏面２１ｂを冷蔵室８１の天面８１ａに向けて、溝部３１Ｈを支持部ＳＰに嵌める（図１４参照）。
【００５５】
ただし、図１３および図１４に示すように、置き板２１の裏面２１ｂが使用される場合には、望ましい工夫がある。通常、置き板２１では、幅方向Ｗ２の長さが長手となり、奥行き方向Ｄ２の長さが短手となる。そのため、置き板２１の長手は短手に比べて撓みやすく、その撓みを防止する補強が施される。ただし、補強を施したことによって、置き板２１の裏面２１ｂが使えなくなることは問題となる。
【００５６】
そこで、置き板２１には、表面２１ａおよび裏面２１ｂ面内には補強用の部材（補強ユニット）は形成されない。具体的には、図１０、図３、および図５〜図８等に示すように、補強ユニットＵＴは、立ち上がり片２２・２２同士にて挟み込まれる置き板２１の縁、詳説すると、置き板２１の縁における背面に形成される。
【００５７】
補強ユニットＵＴは、２つの片材を連結させている。１つは、置き板２１の縁における背面で、置き板２１の表面２１ａから立ち上がるように延び出るとともに、途中で曲がり、その表面２１ａの面内方向に沿うように延び出る表側延出片４１である。もう１つは、置き板２１の縁における背面で、置き板２１の裏面２１ｂから立ち上がるように延び出るとともに、途中で曲がり、その裏面２１ｂの面内方向に沿うように延び出る裏側延出片４２である。
【００５８】
なお、表側延出片４１と裏側延出片４２とは、置き板２１の縁における背面にてつながることで一連状になり、さらに、この一連状になった補強ユニットＵＴは、置き板２１における背面の縁のほとんどとつながっている（図８参照）。
【００５９】
そのため、このような補強ユニットＵＴは、置き板２１の表面２１ａで特に背面側に食品等が置かれる場合（表面２１ａに負荷がかかる場合）、裏側延出片４２で表面２１ａを支えつつ表側延出片４１で表面２１ａをつり上げることで、その表面２１ａのへこむような撓みを防止する。一方で、補強ユニットＵＴは、置き板２１の裏面２１ｂで特に背面側に食品等が置かれる場合（裏面２１ｂに負荷がかかる場合）、表側延出片４１で裏面２１ｂを支えつつ裏側延出片４２で裏面２１ｂをつり上げることで、その裏面２１ｂのへこむような撓みを防止する。
【００６０】
つまり、このような補強ユニットＵＴは、置き板２１における表面２１ａおよび裏面２１ｂ（特に置き板２１における両面２１ａ・２１ｂの背面側）にかかる負荷に起因する撓みを防止する。その上、補強ユニットＵＴは、置き板２１の縁における背面に位置することで、置き板２１の表面２１ａおよび裏面２１ｂにおける食品等の置き位置を確保する。
【００６１】
なお、この補強ユニットＵＴにおける補強力を向上させるべく、図１０に示すように、向かい合う表側延出片４１と裏側延出片４２とをつなげる連結片４３が含まれていてもよい。ただし、この連結片４３は、個数や位置は限定されるものではない。例えば、図１０に示すように、置き板２１の背面における縁の１箇所のみに形成されてもよいし、置き板２１の背面における縁に散らばって複数形成されてもよい。
【００６２】
また、以上の補強ユニットＵＴは、棚ＰＴにおける置き板２１の撓み（特に、背面側の置き板２１の撓み）を効果的に防止する。そこで、さらなる置き板２１の補強を図るべく、詳説すると、棚ＰＴにおける正面側の置き板２１の撓みを効果的に防止すべく、補強ユニットＵＴに対向する置き板２１の縁（すなわち置き板２１の縁における正面）が先太りすると望ましい（なお、この先太りした部分を補強片４５と称する）。
【００６３】
この補強片４５は、置き板２１の表面２１ａから隆起する表側補強端４６と、置き板２１の裏面２１ｂから隆起する裏側補強端４７とをつなげている（肉厚にしている）。さらに、この厚みを増した補強片４５は、置き板２１における正面の縁のほとんどとつながっている（図７参照）。
【００６４】
そのため、このような補強片４５は、置き板２１の表面２１ａで特に正面側に食品等が置かれる場合、裏側補強端４７で表面２１ａを支えつつ表側補強端４６で表面２１ａをつり上げることで、その表面２１ａのへこむような撓みを防止する。一方で、補強片４５は、置き板２１の裏面２１ｂで特に正面側に食品等が置かれる場合、表側補強端４６で裏面２１ｂを支えつつ裏側補強端４７で裏面２１ｂをつり上げることで、その裏面２１ｂのへこむような撓みを防止する。
【００６５】
つまり、このような補強片４５は、置き板２１における表面２１ａおよび裏面２１ｂ（特に置き板２１における両面２１ａ・２１ｂの正面側）にかかる負荷に起因する撓みを防止する。その上、補強片４５は、置き板２１の縁における正面に位置することで、置き板２１の表面２１ａおよび裏面２１ｂにおける食品等の置き位置を確保する。
【００６６】
ところで、棚ＰＴにおける置き板２１は食品等によって傷つきやすい。そこで、通常、棚ＰＴは食品等を置き板２１の全面に接触させないように、その置き板２１を非平面にしている。例えば、食品等に対して線接触可能なリブが置き板２１の表面２１ａに形成されることで、その置き板２１は非平面になっている。
【００６７】
このようなリブが、置き板２１の表面２１ａだけでなく裏面２１ｂにまで形成されると、置き板２１は傷つきにくいものの、棚ＰＴの美観が損なわれる。また、ユーザの視認性向上のために、置き板２１は透過性を有するものの、リブによって、視認性が低下しかねない。そこで、置き板２１の裏面２１ｂが使用される場合、その置き板２１にはリブが設けられないようにすると望ましい。
【００６８】
そこで、置き板２１の裏面２１ｂが使用される場合の工夫として、棚ＰＴは、置き板２１の表面２１ａおよび裏面２１ｂの両面を波打つ面形状にしている。詳説すると、幅方向Ｗ２に沿って波打つことで、奥行き方向Ｄ２に延びる波型（曲面形状）のへこみ、および波型の盛り上がりが、置き板２１の表面２１ａおよび裏面２１ｂの両面にて交互に並列する（図１１〜図１４参照）。
【００６９】
このようになっていると、置き板２１の表面２１ａおよび裏面２１ｂにて、食品等が面接触しない（波型の隆起部分２５のみに線接触する）。そのため、両面２１ａ・２１ｂともに傷が付きにくくなる。また、波打つことによって、置き板２１の強度も向上する。その上、リブのようにエッジの目立つ部材が置き板２１の両面２１ａ・２１ｂに形成されないので、かかるエッジに起因した棚ＰＴの美観低下は起きない。
【００７０】
また、置き板２１が波打つ面形状になっていると、置き板２１の表面２１ａおよび裏面２１ｂにて、奥行き方向Ｄ２に延びる波型のへこみ（波型の谷部分）２６が生じる。このようなへこみ２６は、例えば汁物が器からこぼれたとしても、その汁を溜め拡散させない。
【００７１】
その上、へこみ２６の正面および背面、すなわち、置き板２１の正面の縁および背面の縁には、補強片４５および補強ユニットＵＴが立ち上がっている。そのため、へこみ２６溜まる汁は、補強片４５および補強ユニットＵＴによってせき止められることで流れ落ちない（したがって、棚ＰＴおよび冷蔵室８１の清掃が容易になる）。
【００７２】
なお、置き板２１の表面２１ａにて波打つことで盛り上がる部分（隆起部分２５）と、置き板２１の裏面２１ｂにて波打つことで掘り下がる部分（谷部分２６）とが向かい合っているとともに、置き板２１の表面２１ａにて波打つことで掘り下がる部分（谷部分２６）と、置き板２１の裏面２１ｂにて波打つことで盛り上がる部分（隆起部分２５）とが向かい合っている。
【００７３】
このようになっていると、互いの面２１ａ・２１ｂにて、一方の面に盛り上がる部分があれば、その裏側である他方の面の対応部分は掘り下がる部分になるので、置き板２１は、波打つものの厚みはほぼ一定になる。そのため、置き板２１の厚み変動に起因する棚ＰＴの美観低下も起きない。また、このような棚ＰＴを金型成形する場合、厚み変化に起因した冷却効率の変動が起きない。つまり、厚みが一定のために、均等な冷却効率の下で成形樹脂が冷える。そのため、高品質な棚が比較的容易に大量生産できる。
【００７４】
［実施の形態２］
実施の形態２について説明する。なお、実施の形態１で用いた部材と同様の機能を有する部材については同一の符号を付記し、その説明を省略する。この実施の形態２では、冷蔵室８１の側壁８３に対する棚ＰＴの固定度合いについて説明する。
【００７５】
実施の形態１にて説明したように、溝部３１は、開放口３２を介して、支持部ＳＰである第１支持片ＳＢ１および第２支持片ＳＢ２に嵌る。このような溝部３１と支持部ＳＰとの嵌り合いで（接触で）、棚ＰＴが冷蔵室８１の側壁８３に取り付けられた後、棚ＰＴには、食品等が置かれる。そのため、棚ＰＴが側壁８３から簡単にずれることは望ましくない。すなわち、棚ＰＴにおける溝部３１と冷蔵室８１の側壁における支持部ＳＰとが比較的強固に固定されるとよい。
【００７６】
そこで、図３および図９に示すように、溝部３１は突起（第１突起）５１を含み、その溝部３１によって挟まれる支持部ＳＰは、図４に示すように、突起５１の嵌る窪み（第２窪み）５２を含む。このような突起５１と窪み５２とが嵌り合えば、突起５１を含む棚ＰＴと窪み５２を含む支持部ＳＰとがずれにくくなるためである。
【００７７】
突起５１の形成される溝部３１は、立ち上がり片２２にて並列する。そのため、溝壁３５には、溝部３１・３１同士を仕切る仕切り溝壁３５ａと、最外に位置する溝部３１・３１にて仕切り溝壁３５ａに対向することで最外に位置し、溝部３１・３１の内部を遮蔽する遮蔽溝壁３５ｃ・３５ｄとが存在する。そして、これら仕切り溝壁３５ａと遮蔽溝壁３５ｃ・３５ｄとに、突起５１（突起５１ａ〜５１ｄ）が形成される（溝部３１の内部に向く突起５１が形成される）。
【００７８】
仕切り溝壁３５ａに形成される突起５１ａは、仕切り溝壁３５ａの一面（表面３５ａｆ）にて、置き板２１の表面２１ａに近い遮蔽溝壁３５ｃに向かって隆起しつつ幅方向Ｗ２に沿って延びている。また、仕切り溝壁３５ａに形成される突起５１ｂは、仕切り溝壁３５ａの一面（裏面３５ａｒ）にて、置き板２１の背面２１ｂに近い遮蔽溝壁３５ｄに向かって隆起しつつ幅方向Ｗ２に沿って延びている｛要は、突起５１ａ・５１ｂは、溝部３１に面する仕切り溝壁３５ａの内壁面３５ａｆ・３５ａｒ（表面３５ａｆ・裏面３５ａｒ）から遮蔽溝壁３５ｃ・３５ｄに向かって突き出る｝。
【００７９】
一方、遮蔽溝壁３５ｃに形成される突起５１ｃは、突起５１ａに対向しており、遮蔽溝壁３５ｃの内壁面（内壁面３５ｃｉ；図９参照）にて、仕切り溝壁３５ａに向かって隆起しつつ幅方向Ｗ２に沿って延びている。また、遮蔽溝壁３５ｄに形成される突起５１ｄは、突起５１ｂに対向しており、遮蔽溝壁３５ｄの内壁面（内壁面３５ｄｉ；図９参照）にて、仕切り溝壁３５ａに向かって隆起しつつ幅方向Ｗ２に沿って延びている。｛要は、突起５１ｃ・５１ｄは、溝部３１に面する遮蔽溝壁３５ｃ・３５ｄの内壁面３５ｃｉ・３５ｄｉから溝部３１の内部に向かって突き出る｝。
【００８０】
そして、以上のような突起５１の嵌る窪み５２は、図１５に示すように、支持部ＳＰ（詳説すると第１支持片ＳＢ１）と溝部３１の制止片３３とが接触する状態にて、突起５１（５１ａ〜５１ｄ）に接触可能な支持部ＳＰの一端に形成される。例えば、比較的背面側の仕切り溝壁３５ａおよび遮蔽溝壁３５ｃ・３５ｄに突起５１が形成されていると、窪み５２は第２支持片ＳＢ２に形成される（なお、図１５は、図２のＣ−Ｃ’線矢視断面方向からみており、置き板２１の表面２１ａが冷蔵室８１の天面８１ａに向き、溝部３１Ｌが支持部ＳＰに嵌まる一例である）。
【００８１】
窪み５２は、第２支持片ＳＢ２において冷蔵室８１の天面８１ａに向く一面（第１面ＳＢ２ａ）にて窪みつつ、幅方向Ｗ２に沿って延びている。したがって、図１６Ａ〜図１６Ｄに示すように、棚ＰＴにおける溝部３１Ｌが支持部ＳＰに嵌まって徐々に進行していくと、溝部３１Ｌの突起５１ｃが第２支持片ＳＢ２の窪み５２に嵌る（なお、図１６Ａ〜図１６Ｄは、図１５と同じ図２でのＣ−Ｃ’矢視断面図方向からみている）。
【００８２】
このようになっていると、棚ＰＴが冷蔵室８１の奥行き方向Ｄ１に沿いつつ、その冷蔵室８１から離れようとしても（図１５の矢印方向Ｊ参照）、溝部３１Ｌの突起５１ｃと第２支持片ＳＢ２の窪み５２とが嵌り合うことで、棚ＰＴが冷蔵室８１から簡単にずれない。つまり、突起５１ｃと窪み５２とが嵌り合うことで、冷蔵室８１の側壁８３に対する棚ＰＴの固定度合いは高まる。
【００８３】
また、棚ＰＴが冷蔵室８１の奥行き方向Ｄ１に沿いつつ、その冷蔵室８１にさらに進入しようとしても（図１５の矢印方向Ｋ参照）、溝部３１Ｌの制止片３３と第１支持片ＳＢ１とが接触することで、棚ＰＴが冷蔵室８１の内部に過剰に進入しない。したがって、第２支持片ＳＢ２に突起５１ｃと窪み５２との嵌り合い、および制止片３３と第１支持片ＳＢ１との接触によって、棚ＰＴは、奥行き方向Ｄ１において、冷蔵室８１の側壁８３に安定して取り付けられる。
【００８４】
また、置き板２１の幅方向Ｗ２と冷蔵室８１の幅方向Ｗ１とが一致している場合に、立ち上がり片２２・２２の厚みは、置き板２１における側面の縁から冷蔵室８１の支持部ＳＰに到達する長さは有する。そして、この立ち上がり片２２にて、溝部３１の深さＱｂ（図３参照）は、第１支持片ＳＢ１および第２支持片ＳＢ２の幅Ｐｂよりも若干長い（図４参照）。
【００８５】
そのため、棚ＰＴが冷蔵室８１の幅方向Ｗ１に沿ってずれようとしても、溝部３１における仕切り溝壁３５ａおよび遮蔽溝壁３５ｂ・３５ｃが、支持部ＳＰの形成された冷蔵室８１の側壁８３に接触して過剰にずれない。したがって、棚ＰＴは、幅方向Ｗ１においても、冷蔵室８１の側壁８３に安定して取り付けられる。
【００８６】
なお、以上の説明では、棚ＰＴにおける置き板２１の表面２１ａが冷蔵室８１の天面８１ａに向き、その棚ＰＴの溝部３１Ｌが、冷蔵室８１の側壁８３における支持部ＳＰに嵌りつつ、冷蔵室８１の奥（背面）に進行していく例を挙げて説明した。詳説すると、溝部３１Ｌにおける遮蔽溝壁３５ｃの突起５１ｃが支持部ＳＰの窪み５２に嵌る例を説明した。しかし、これに限定されるものではない。
【００８７】
すなわち、棚ＰＴにおける置き板２１の表面２１ａが冷蔵室８１の天面８１ａに向き、その棚ＰＴの溝部３１Ｈが、冷蔵室８１の側壁８３における支持部ＳＰに嵌りつつ、冷蔵室８１の奥に進行していってもよい。詳説すると、溝部３１Ｈにおける仕切り溝壁３５ａの突起５１ｂが支持部ＳＰの窪み５２に嵌ってもよい。
【００８８】
また、棚ＰＴにおける置き板２１の裏面２１ｂが冷蔵室８１の天面８１ａに向き、その棚ＰＴの溝部３１Ｌが、冷蔵室８１の側壁８３における支持部ＳＰに嵌りつつ、冷蔵室８１の奥に進行していってもよい。詳説すると、溝部３１Ｌにおける仕切り溝壁３５ａの突起５１ａが支持部ＳＰの窪み５２に嵌ってもよい。
【００８９】
また、棚ＰＴにおける置き板２１の裏面２１ｂが冷蔵室８１の天面８１ａに向き、その棚ＰＴの溝部３１Ｈが、冷蔵室８１の側壁８３における支持部ＳＰに嵌りつつ、冷蔵室８１の奥に進行していってもよい。詳説すると、溝部３１Ｈにおける遮蔽溝壁３５ｄの突起５１ｄが支持部ＳＰの窪み５２に嵌ってもよい。
【００９０】
ところで、以上の説明では、第２支持片ＳＢ２に窪み５２が含まれている一例を示したが、これに限定されるものではない。例えば、第１支持片ＳＢ１に窪みが含まれてもかまわない。ただし、第２支持片ＳＢ２に窪み５２があると、その窪み５２の位置は冷蔵室８１の正面から比較的乖離する（例えば、第１支持片ＳＢ１に突起がある場合よりも乖離する）。そのため、棚ＰＴが冷蔵室８１の正面から抜け落ちるように移動する場合に、効率よく（例えば、第１支持片ＳＢ１に突起がある場合に比べて効率よく）、その移動を規制できる。
【００９１】
また、溝部３１に、突起（第１突起）５１に代わって窪み（第１窪み）が形成され、支持部ＳＰに、窪み（第２窪み）５２に代わって突起（第２突起）が形成されてもよい。このようになっていても、溝部３１の第１窪みと支持部ＳＰの第２突起とが嵌り合うことで、冷蔵室８１の側壁８３に対する棚ＰＴの固定度合いは高まる。
【００９２】
［実施の形態３］
実施の形態３について説明する。なお、実施の形態１および実施の形態２で用いた部材と同様の機能を有する部材については同一の符号を付記し、その説明を省略する。この実施の形態３では、棚ＰＴが冷蔵室８１の側壁８３に取り付いた状態でありながらも、移動可能となる機構について説明する。
【００９３】
実施の形態２で説明したように、支持部ＳＰの窪みと溝部３１の突起５１とが嵌り合うことで、冷蔵室８１の側壁８３に対する棚ＰＴの固定度合いは高まる（図１５参照）。このような支持部ＳＰの窪み５２と溝部３１の突起５１とが嵌り合う状態から、冷蔵室８１の側壁８３から棚ＰＴを完全に取り外すことなく、その棚ＰＴの位置を変化させる機構がある。
【００９４】
その機構は、仕切り溝壁３５ａに含まれる欠損部分ＤＴ（第１欠損部分ＤＴ１・第２欠損部分ＤＴ２）である。そして、これら第１欠損部分ＤＴ１および第２欠損部分ＤＴ２は、奥行き方向Ｄ２にて乖離して並列している｛ただし、第１欠損部分ＤＴ１から第２欠損部分ＤＴ２に至る間隔は、第１支持片ＳＢ１から第２支持片ＳＢ２に至る間隔Ｘ（図４参照）より若干短い｝。
【００９５】
第１欠損部分ＤＴ１は、制止片３３と突起５１との間に位置するとともに、第２欠損部分ＤＴ２よりも置き板２１の正面側に位置する。そして、この第１欠損部分ＤＴ１は、第１支持片ＳＢ１の奥行き長よりも若干長い奥行き長を有する。一方、第２欠損部分ＤＴ２は、突起５１よりも置き板２１の背面側に位置する。つまり、第２欠損部分ＤＴ２は、第１欠損部分ＤＴ１よりも置き板２１の背面側に位置する（図３、図１５等参照）。そして、この第２欠損部分ＤＴは、第２支持片ＳＢ２の奥行き長よりも若干長い奥行き長を有する。
【００９６】
このような第１欠損部分ＤＴ１と第２欠損部分ＤＴ２とが仕切り溝壁３５ａに含まれていると、例えば図１７Ａ〜図１７Ｅに示すようにして、棚ＰＴが移動できる（なお、図１７Ａ〜図１７Ｅは、図１５と同じ図２でのＣ−Ｃ’矢視断面図方向からみている）。
【００９７】
すなわち、棚ＰＴは、溝部３１Ｌにおける遮蔽溝壁３５ｃの突起５１ｃを窪み５２から乗り上げさせて、かつ冷蔵室８１の正面（開放面）に移動する（図１７Ａおよび図１７Ｂ参照）。そして、棚ＰＴは、高さ方向Ｔ１にて第１欠損部分ＤＴ１および第２欠損部分ＤＴ２を第１支持片ＳＢ１および第２支持片ＳＢ２に重ねるまで、奥行き方向Ｄ１に沿って移動する（図１７Ｂ参照）。
【００９８】
そして、この第１欠損部分ＤＴ１および第２欠損部分ＤＴ２と第１支持片ＳＢ１および第２支持片ＳＢ２とが重なり合う状態にて、棚ＰＴは高さ方向Ｔ１に沿って冷蔵室８１の天面８１ａに移動する。すると、図１７Ｃに示すように、この第１欠損部分ＤＴ１は第１支持片ＳＢ１を囲み、第２欠損部分ＤＴ２は第２支持片ＳＢ２を囲む。
【００９９】
さらに、棚ＰＴが高さ方向Ｔ１に沿って冷蔵室８１の天面８１ａに移動すると、第１欠損部分ＤＴ１は第１支持片ＳＢ１から乖離するとともに、第２欠損部分ＤＴ２は第２支持片ＳＢ２から乖離する（要は、第１支持片ＳＢ１および第２支持片ＳＢ２が、第１欠損部分ＤＴ１および第２欠損部分ＤＴ２を通り抜ける）。その結果、図１７Ｄに示すように、棚ＰＴは、第１支持片ＳＢ１および第２支持片ＳＢ２を溝部３１Ｈに到達させる。
【０１００】
そして、溝部３１Ｈに第１支持片ＳＢ１および第２支持片ＳＢ２が嵌る状態にて、棚ＰＴが冷蔵室８１の奥に進行していくと、図１７Ｅに示すように、制止片３３が第１支持片ＳＢ１に接触し、仕切り溝壁３５ａの突起５１ｂが第２支持片ＳＢ２の窪み５２に嵌る。
【０１０１】
つまり、棚ＰＴは、置き板２１の表面２１ａを冷蔵室８１の天面８１ａに向かせつつ、支持部ＳＰに嵌る溝部３１を溝部３１Ｌから溝部３１Ｈに変える。この過程にて、冷蔵室８１の側壁８３から棚ＰＴが完全に外れない。そのため、ユーザは、冷蔵室８１から棚ＰＴを完全に引き抜くことなく、容易に棚ＰＴの位置を変えられる。
【０１０２】
なお、以上のようにして、置き板２１の表面２１ａが冷蔵室８１の天面８１ａに向きつつ、溝部３１Ｌに嵌る支持部ＳＰが溝部３１Ｈに変わる以外に、置き板２１の表面２１ａが冷蔵室８１の天面８１ａに向きつつ、溝部３１Ｈに嵌る支持部ＳＰが溝部３１Ｌに変わることもある。これは、図１７Ａ〜図１７Ｅまでの棚ＰＴの動きが逆になればよい。
【０１０３】
そして、このような過程であっても、冷蔵室８１の側壁８３から棚ＰＴが完全に外れないので、ユーザは、冷蔵室８１から棚ＰＴを完全に引き抜くことなく、容易に棚ＰＴの位置を変えられる。
【０１０４】
また、図１８Ａ〜図１８Ｅに示すように、置き板２１の表面２１ａが冷蔵室８１の底面８１ｂに向きつつ、棚ＰＴが移動することで、支持部ＳＰに嵌る溝部３１が溝部３１Ｌから溝部３１Ｈに変わることもある（なお、図１８Ａ〜図１８Ｅは、図１５と同じ図２でのＣ−Ｃ’矢視断面図方向からみている）。
【０１０５】
すなわち、棚ＰＴは、溝部３１Ｌにおける仕切り溝壁３５ａの突起５１ａを窪み５２から乗り上げさせて、かつ冷蔵室８１の正面に移動する（図１８Ａおよび図１８Ｂ参照）。そして、棚ＰＴは、高さ方向Ｔ１にて第１欠損部分ＤＴ１および第２欠損部分ＤＴ２を第１支持片ＳＢ１および第２支持片ＳＢ２に重ねるまで、奥行き方向Ｄ１に沿って移動する（図１８Ｂ参照）。
【０１０６】
そして、この第１欠損部分ＤＴ１および第２欠損部分ＤＴ２と第１支持片ＳＢ１および第２支持片ＳＢ２とが重なり合う状態にて、棚ＰＴは高さ方向Ｔ１に沿って冷蔵室８１の底面８１ｂに移動する。すると、図１８Ｃに示すように、この第１欠損部分ＤＴ１は第１支持片ＳＢ１を囲み、第２欠損部分ＤＴ２は第２支持片ＳＢ２を囲む。
【０１０７】
さらに、棚ＰＴが高さ方向Ｔ１に沿って冷蔵室８１の底面８１ｂに移動すると、第１欠損部分ＤＴ１は第１支持片ＳＢ１から乖離するとともに、第２欠損部分ＤＴ２は第２支持片ＳＢ２から乖離する。その結果、図１８Ｄに示すように、棚ＰＴは、第１支持片ＳＢ１および第２支持片ＳＢ２を溝部３１Ｈに到達させる。
【０１０８】
そして、溝部３１Ｈに第１支持片ＳＢ１および第２支持片ＳＢ２が嵌る状態にて、棚ＰＴが冷蔵室８１の奥に進行していくと、図１８Ｅに示すように、制止片３３が第１支持片ＳＢ１に接触し、遮蔽溝壁３５ｄの突起５１ｄが第２支持片ＳＢ２の窪み５２に嵌る。
【０１０９】
つまり、棚ＰＴは、置き板２１の表面２１ａを冷蔵室８１の底面８１ｂに向かせつつ、支持部ＳＰに嵌る溝部３１を溝部３１Ｌから溝部３１Ｈに変える。なお、図１８Ａ〜図１８Ｅまでの棚ＰＴの動きが逆になれば、置き板２１の表面２１ａが冷蔵室８１の底面８１ｂに向きつつ、溝部３１Ｈに嵌る支持部ＳＰが溝部３１Ｌに変わる。
【０１１０】
なお、以上のような、置き板２１の表面２１ａが冷蔵室８１の底面８１ｂに向きつつ、棚ＰＴが移動することで、支持部ＳＰに嵌る溝部３１が溝部３１Ｌから溝部３１Ｈ（または溝部３１Ｈから溝部３１Ｌ）に変わる過程でも、冷蔵室８１の側壁８３から棚ＰＴが完全に外れない。そのため、ユーザは、冷蔵室８１から棚ＰＴを完全に引き抜くことなく、容易に棚ＰＴの位置を変えられる。
【０１１１】
［その他の実施の形態］
なお、本発明は上記の実施の形態に限定されず、本発明の趣旨を逸脱しない範囲で、種々の変更が可能である。
【０１１２】
例えば、以上では、棚ＰＴにおける２個の溝部３１が１個の立ち上がり片２２にて並列する例を挙げてきた。しかし、これに限定されるものでない。例えば、３個以上の溝部３１が１個の立ち上がり片２２にて並列していてもかまわない。
【０１１３】
また、２個の溝部３１を立ち上がり片２２に並列させた棚ＰＴで、その棚ＰＴにおける置き板２１の両面２１ａ・２１ｂが使用可能になっていると、１個の支持部ＳＰを利用して、棚ＰＴの位置は４段階に変わる。そのため、支持部ＳＰの個数は、４個の支持部を利用して棚の位置を４段階に変える場合に比べて、大幅に少なくなる。
【０１１４】
そして、このように支持部ＳＰの個数が減ると、支持部ＳＰとの接触を気にすることなく、ユーザは食品等を冷蔵室８１に入れられる。また、支持部ＳＰ自身に起因した冷蔵室８１の収容空間の減少もない。例えば、棚ＰＴを支えていない支持部ＳＰが、高さ方向Ｔ１にて並ぶことで、それら支持部ＳＰ・ＳＰ同士の間隔が、デッドスペースになるということも起きない。
【０１１５】
その上、最外に位置する溝部３１にて、仕切り溝壁３５ａに対向することで最外に位置する遮蔽溝壁３５ｃ・３５ｄは、溝部３１の内部（すなわち支持部ＳＰ）を遮蔽するとともに、冷蔵室８１の側壁８３に密着する。
【０１１６】
そのため、遮蔽溝壁３５ｃ・３５ｄと冷蔵室８１の側壁８３との間に隙間が生じにくくなり、棚ＰＴによって区切られた冷蔵室８１の各空間の気密性が向上する。そのため、その空間内の温度の均一化が図られる。また、このような気密性の高い空間が複数あると、空間毎に異なった設定温度も可能になる。その上、遮蔽溝壁３５ｃ・３５ｄによって、外部から支持部ＳＰが見えないため、美観性も向上する。
【０１１７】
なお、以上では、冷蔵室８１に棚ＰＴは取り付けられていたが、これに限定されるものではない。例えば、冷凍室であっても、ショーケースの内部であってもかまわない。要は、棚ＰＴにおける溝部３１に嵌る支持部ＳＰを備える収容室であればよい。
【図面の簡単な説明】
【０１１８】
【図１】は、冷凍冷蔵庫における開閉扉を省略し、冷蔵室の一部を拡大して示す斜視図である。
【図２】は、冷凍冷蔵庫における開閉扉を省略し、冷蔵室の一部を拡大して示す正面図である。
【図３】は、棚の斜視図である。
【図４】は、図１にて、棚を省略した冷蔵室のみを示す斜視図である。
【図５】は、棚部における置き板の表面を示す平面図である。
【図６】は、棚部における置き板の裏面を示す平面図である。
【図７】は、図５における置き板の正面を示す正面図である。
【図８】は、図５における置き板の背面を示す背面図である。
【図９】は、図５における置き板の側面を示す側面図である。
【図１０】は、図５における置き板のＡ−Ａ’線矢視断面図である。
【図１１】は、図１のＢ−Ｂ’線矢視断面方向からみており、置き板の表面が冷蔵室の天面側に向き、置き板に近い側に位置する溝部と支持部とが嵌り合う状態を示す断面図である。
【図１２】は、図１のＢ−Ｂ’線矢視断面方向からみており、置き板の表面が冷蔵室の天面側に向き、置き板から離れた側に位置する溝部と支持部とが嵌り合う状態を示す断面図である。
【図１３】は図１のＢ−Ｂ’線矢視断面方向からみており、置き板の裏面が冷蔵室の天面側に向き、置き板に近い側に位置する溝部と支持部とが嵌り合う状態を示す断面図である。
【図１４】は、図１のＢ−Ｂ’線矢視断面方向からみており、置き板の裏面が冷蔵室の天面側に向き、置き板から離れた側に位置する溝部と支持部とが嵌り合う状態を示す断面図である。
【図１５】は、図２のＣ−Ｃ’線矢視断面方向からみており、第１支持片と溝部の制止片とが接触する状態にて、溝部の突起と支持部の窪みとが嵌り合う状態を示す断面図である。
【図１６】では、（Ａ）は開放口を介して溝部が第１支持片に嵌る状態を示す断面図であり、（Ｂ）は溝部が第１支持片を完全に覆うまで冷蔵室の奥行き方向に向かって進行する状態を示す断面図であり、（Ｃ）は溝部が第２支持片を完全に覆うまで冷蔵室の奥行き方向に向かって進行する状態を示す断面図であり、（Ｄ）は第１支持片の窪みと置き板に近い側の溝部の突起とが嵌り合う状態を示す断面図である。
【図１７】では、（Ａ）は置き板の表面が冷蔵室の天面に向きつつ第１支持片の窪みと置き板に近い側の溝部の突起とが嵌り合う状態を示す断面図であり、（Ｂ）は突起を窪みから乗り上げさせて、かつ冷蔵室の正面に移動する状態を示す断面図であり、（Ｃ）は溝部の第１欠損部分および第２欠損部分と第１支持片および第２支持片とが重なり合う状態にて、棚が冷蔵室の天面に移動する状態を示す断面図であり、（Ｄ）は第１欠損部分および第２欠損部分が第１支持片および第２支持片から乖離し、それら支持片が置き板から離れた側の溝部に到達している状態を示す断面図であり、（Ｅ）は第１支持片の窪みと置き板から離れた側の溝部の突起とが嵌り合う状態を示す断面図である。
【図１８】では、（Ａ）は置き板の表面が冷蔵室の底面に向きつつ第１支持片の窪みと置き板に近い側の溝部の突起とが嵌り合う状態を示す断面図であり、（Ｂ）は突起を窪みから乗り上げさせて、かつ冷蔵室の正面に移動する状態を示す断面図であり、（Ｃ）は溝部の第１欠損部分および第２欠損部分と第１支持片および第２支持片とが重なり合う状態にて、棚が冷蔵室の底面に移動する状態を示す断面図であり、（Ｄ）は第１欠損部分および第２欠損部分が第１支持片および第２支持片から乖離し、それら支持片が置き板から離れた側の溝部に到達している状態を示す断面図であり、（Ｅ）は第１支持片の窪みと置き板から離れた側の溝部の突起とが嵌り合う状態を示す断面図である。
【図１９】は、冷凍冷蔵庫の側面断面図である。
【図２０】は、従来の冷却庫に搭載される棚の斜視図である。
【符号の説明】
【０１１９】
ＳＰ    支持部
ＳＢ    支持片
ＳＢ１  第１支持片
ＳＢ２  第２支持片
ＰＴ    棚
２１    置き板
２１ａ  置き板の表面
２１ｂ  置き板の裏面
２２    立ち上がり片
２２ａ  立ち上がり片の外側面
２２ｂ  立ち上がり片の内側面
２５    隆起部分（山部分）
２６    くぼみ（谷部分）
３１    溝部
３２    開放口
３３    制止片
３５    溝壁
３５ａ  仕切り溝壁
３５ｃ  遮蔽溝壁
３５ｄ  遮蔽溝壁
ＤＴ    欠損部分
ＤＴ１  第１欠損部分
ＤＴ２  第２欠損部分
ＵＴ    補強ユニット
４１    表側延出片
４２    裏側延出片
４３    連結片
４５    補強片
４６    表側補強端
４７    裏側補強端
５１    突起（第１突起、係止端）
５１ａ  仕切り溝壁から置き板に近い側の溝部に向いて突き出る突起
５１ｂ  仕切り溝壁から置き板から離れた側の溝部に向いて突き出る突起
５１ｃ  遮蔽溝壁から仕切り溝壁に向いて突き出る突起
５１ｄ  遮蔽溝壁から仕切り溝壁に向いて突き出る突起
５２    窪み（第２窪み、係止端）
８１    冷蔵室
８１ａ  冷蔵室の天面
８１ｂ  冷蔵室の底面
８３    冷蔵室の側壁
８９    冷蔵庫（冷却庫）
Ｄ１    冷蔵室の奥行き方向
Ｗ１    冷蔵室の幅方向
Ｔ１    冷蔵室の高さ方向
Ｄ２    棚の奥行き方向
Ｗ２    棚の幅方向
Ｔ２    棚の高さ方向（立ち上がり片の立ち上がり方向）
【図１】
0004833167.tif 000002
【図２】
0004833167.tif 000003
【図３】
0004833167.tif 000004
【図４】
0004833167.tif 000005
【図５】
0004833167.tif 000006
【図６】
0004833167.tif 000007
【図７】
0004833167.tif 000008
【図８】
0004833167.tif 000009
【図９】
0004833167.tif 000010
【図１０】
0004833167.tif 000011
【図１１】
0004833167.tif 000012
【図１２】
0004833167.tif 000013
【図１３】
0004833167.tif 000014
【図１４】
0004833167.tif 000015
【図１５】
0004833167.tif 000016
【図１６】
0004833167.tif 000017
【図１７】
0004833167.tif 000018
【図１８】
0004833167.tif 000019
【図１９】
0004833167.tif 000020
【図２０】
0004833167.tif 000021